(57)【要約】  【課題】  コンクリート等で囲まれた空間を間仕切る際に使用し、コンクリート壁側に設置するボードと室内空間を間仕切るボードとの取り合い部で、クロス貼り施工後の捩れや撓み等の不具合が発生することのない内装用隅部材を提供すること。  【解決手段】  内装用隅部材１を、コンクリート壁面１２に対して平行に配される隅部材基部１ａと、当該隅部材基部１ａの中心部から当該隅部材基部１ａと垂直な方向に突出した隅部材突出部１ｂとから構成し、前記隅部材基部１ａの幅方向両端部及び前記隅部材突出部１ｂの突出方向端部には間仕切る空間の下地材を取り付ける係止部１ｃを設けた。また、前記隅部材基部１ａ及び前記隅部材突出部１ｂには割り部１ｄを設け、当該割り部１ｄに電磁遮蔽材を挿入できる構成とし当該電磁遮蔽材が、前記隅部材基部１ａ及び前記隅部材突出部１ｂ内で相互に電気的に導通されるように構成した。【選択図】  図２
2006090009.tif 000002
【特許請求の範囲】
【請求項１】
空間を間仕切る際に用いる内装用隅部材であって、平板状であり上下方向に延在し壁面に対して平行に配される隅部材基部と、平板状であり上下方向に延在し前記隅部材基部の幅方向の中心部から前記隅部材基部と垂直な方向に突出した隅部材突出部とから成り、前記隅部材基部の前記壁面側の面と反対側の面の幅方向端部及び前記隅部材突出部の相対する二面の突出方向端部には間仕切る空間の壁下地材を取り付ける係止部が上下方向に延在して設けられていることを特徴とする内装用隅部材。
【請求項２】
前記係止部は、前記壁下地材の厚さと同じ寸法の段差により構成されて成ることを特徴とする請求項１記載の内装用隅部材。
【請求項３】
前記隅部材基部及び前記隅部材突出部は、木材、金属材、樹脂材、石材から選ばれた一種又はそれらの組み合わせで構成されていることを特徴とする請求項１に記載の内装用隅部材。
【請求項４】
前記隅部材基部の幅方向端部及び前記隅部材突出部の突出方向端部に割り部が設けられており、当該割り部に挿入される電磁遮蔽材が、前記隅部材基部及び前記隅部材突出部内で相互に電気的に導通されるように構成されていることを特徴とする請求項１又は請求項３に記載の内装用隅部材。
【請求項５】
前記電磁遮蔽材は、金網、金属板、金属箔、導電性樹脂、半導体材料の中から選ばれた一種又はそれらの組み合わせで構成されていることを特徴とする請求項４に記載の内装用隅部材。
【請求項６】
前記電磁遮蔽材に電圧が印加できるように構成して成ることを特徴とする請求項５に記載の内装用隅部材。
【発明の詳細な説明】
【技術分野】
【０００１】
本発明は内装用隅部材に関する。更に詳しく述べれば、コンクリート等で囲まれた空間を間仕切る際に使用し、コンクリート壁側に設置するボードと室内空間を間仕切るボードとの取り合い部で、クロス貼り施工後の捩れや撓み等の不具合が発生することのない内装用隅部材に関するものである。
【背景技術】
【０００２】
コンクリート等で囲まれた空間を間仕切るために、隅部材と間仕切フレームが使用される。この間仕切フレームは、上下ランナーとスタッドとによって構成される。隅部材は、上下ランナーとスタッドによって間仕切られる空間の共通する隅部に配置される。
【０００３】
図４は、従来の隅部材の使用態様について示した説明図である。墨出し線１１に沿って隅部材１５をコンクリート壁面１２に配した様子を示している。コンクリート等で囲まれた空間の間仕切りの施工手順は通常、以下の通りである。
（１）コンクリートの壁面、床面及び天井面に墨出しを行う。
コンクリート壁面１２、床面１３及び天井面１４に隅部材１５及びランナー８（図示していない）の中心位置、下地壁（下地材、ボード）厚を書き出す作業である。この墨出し線１１により、隅部材１５、ランナー８を配置する位置が明確に定まる。なお、ランナー８とは間仕切材の一種であり、後に図を用いて詳細に説明する。
（２）コンクリート壁面に木レンガを取り付ける。
木レンガ２は、コンクリート壁側に設置するボードと室内空間を間仕切るボードとの取り合い部、即ち壁下地の取り合い部であり、隅部材１５を取り付ける箇所に適宜複数枚設置する。図４では、上下方向の４カ所にそれぞれ２枚の木レンガ２を用いている様子を示す。木レンガ２は、コンクリート壁面１２に接着剤を用いて固定されている。
（３）発泡ウレタンを吹き付ける。
コンクリート壁面１２、床面１３及び天井面１４に発泡ウレタン６を吹き付ける。発泡ウレタン６は断熱材であって、木レンガ２の表面には吹き付けないようにする。もし、木レンガ２の表面に発泡ウレタン６が付着したら完全に取り除いておく。
（４）隅部材を木レンガに取り付ける。
隅部材１５は、図に示すように柱状であり、木材、中空の金属パイプ等を使用することができる。強度が保証されれば樹脂等の材料で構成しても良い。ここでは、中空の金属材で構成した。図５で詳述する。隅部材１５はビス等により木レンガ２に固定される。
（５）壁下地を施工する。
壁下地（間仕切下地）は間仕切フレームであって、上下ランナー及びスタッドを意味しており、墨出し線１１に従って上下ランナーを床面１３、天井面１４に配置し、上下ランナー８の凸部８ｂに柱材であるスタッド９を建て込んで行く。スタッド９は前記凸部８ｂに嵌合する中空の金属パイプで構成されている。
（６）天井下地を施工する。
間仕切下地の内法で、天井下地を施工する。
【０００４】
天井下地まで施工が終われば、後は壁下地材であるボード（ＧＬボード、プラスターボード、ジプサムボード等）を取り付け、仕上げのクロスを貼れば内装まで完了となる。
【０００５】
図５は、上述の壁下地及び天井下地を施工した後、プラスターボード４を隅部材１５と間仕切フレーム（図示していない）に取り付け（乾式の工法による）、その後にＧＬ工法ボード貼りによりＧＬボード３を取り付け、クロス７により内装を終えた後の、隅部の分解斜視図である。図４のＡ部に相当する。但し、図５では、分かり易くするために隅部材１５、プラスターボード４及びＧＬボード３は、適当に切り欠いて示している。また、ＧＬ工法のＧＬとは、Gypsum Board Lining Methodの略称である。ＧＬボード、プラスターボードは石膏ボードの一種である。
【０００６】
前述の隅部材１５は金属製であり、図５に示すように中空角材の形状を有している。隅部材１５の形状や寸法、使用する平板の厚さは、使用するプラスターボード４、ＧＬボード３の重量等を考慮して強度上問題が生じないように設計されている。
【０００７】
プラスターボード４は、施工が済んだ間仕切フレームに、ビス等を用いて取り付けられる。その後に、ＧＬ工法ボード貼りによりＧＬボード３が取り付けられる。ＧＬ工法ボード貼りとは、ＧＬボンド（接着剤１６）を用いて、壁下地材であるＧＬボード３を、発泡ウレタン６が吹き付けられたコンクリート壁面１２に圧着させる工法であり、接着剤１６には水を使用する。この接着剤１６を壁面に塗るのは、ちょうど左官工事の壁塗りに類似している。上述のように、乾式によりプラスターボード４が隅部材１５に取り付けられ、ＧＬ工法ボード貼り（湿式）によりＧＬボード３が取り付けられた後に、クロス７が貼ら付けられて内装が終了する。
【０００８】
図６は、上下ランナーについての説明図である。図６（ａ）は斜視図、（ｂ）は平面図、（ｃ）は側面図、（ｄ）は窓部と墨出し線の関係図である。
【０００９】
上ランナーと下ランナーは、同一のものであり天井面１４に配されるものを上ランナー、床面１３に配されるものを下ランナーと称する。上下ランナー８は、基部８ａと凸部８ｂとからなる。基部８ａは、金属製の平板からなり、厚さ及びその幅は間仕切る空間の大きさ、使用する壁下地材や壁材の材質、重量等を考慮して適宜決定することができる。基部８ａの材質は鉄、銅、アルミニュウム等から適宜選択できるが、コストを考慮すると鉄が一番望ましい。
【００１０】
また、凸部８ｂは、基部８ａに適当な間隔を置いて設けられ、上下ランナー８において凸部８ｂが設けられている間隔は同じになるように設定されている。この凸部８ｂに、スタッドが嵌め込まれる。
【００１１】
更に、当該凸部８ｂは金属製であって、前述のようにこの凸部８ｂにスタッドが嵌め込まれるが、スタッドが嵌合することによりスタッドの位置決めが為される。この凸部８ｂの寸法、材質、表面荒さ等は、スタッドや上下ランナー８の基部８ａとの関係で適宜決めることができる。例えば、凸部８ｂは前記基部８ａと同じ材質の金属板で箱形又は門型に形成し、その両端部８ｅ、８ｅを前記基部８ａにボルト締め、スポット溶接、リベット止め、釘等によって取り付けることができる。図６では、スポット溶接８ｄにより固定している様子を示した。
【００１２】
窓８ｃは、図６（ｄ）に示すように、矩形状に、前記基部８ａを貫通して形成されており、前記基部８ａの間隔を置いた複数の箇所に適宜設けられている。この窓８ｃの対向する二組の角部の内、一組の角部８ｆ、８ｆに、墨出し線１１がちょうど位置するように、前記上下ランナー８の位置を調節することで、正規の位置に上下ランナー８が配置されることになる。なお、この窓８ｃはレーザ加工により高い精度で形成されている。
【００１３】
スタッドは、金属部材により直線状に延在して形成され、当該スタッドの両端はそれぞれ前記金属製の凸部８ｂに嵌合可能なように構成されている。但し、上ランナーの凸部８ｂとの嵌合状態は、一旦嵌め込んだ後でもその嵌め込み具合が調節可能であるが、下ランナーの凸部８ｂとの嵌合状態は、一旦嵌め込んだ後はその嵌め込み具合が調節し難いように構成されている。
【００１４】
以上で説明した、従来技術による隅部材には、以下のような問題点があった。
１．隅部の部分は、乾式壁と湿式壁が取り合い、下地となっている接着剤１６の乾燥によるＧＬボード３の収縮のために、仕上げ工事であるクロス貼りの施工後、捩れや撓みがクロス７に発生し、顧客からのクレームが多かった。
２．近年、接着剤１６の性能も向上し、乾燥によるＧＬボード３の収縮が少なくなって来ているが、依然として施工者の技量や技能により捩れや撓みが発生することがあり、クロス７の仕上がりの品質管理が難しかった。
３．隅部材１５は金属製の平板により製作されるが、折り曲げて製作した上に長さ１２００ｍｍ程度でスペーサ１５ｃを必要とするため、作業する手間が掛かりコストが高くなっていた。
４．隅部材１５は角型形状の中空パイプであるため、その内部に空気の溜まりが生じ、間仕切空間内で空調設備により温度を制御しても隅部まで熱が伝わり難く、結果として隅部においては夏は暑く、冬は寒いといった不快な状態が発生していた。
【発明の開示】
【発明が解決しようとする課題】
【００１５】
本願発明は、上述の従来技術における問題点に鑑みてなされたものであって、クロス貼り施工後に捩れや撓み等の不具合が発生することが無く、隅部の環境性を高めた内装用隅部材を提供することを目的とする。
【課題を解決するための手段】
【００１６】
本願発明の内装用隅部材は、空間を間仕切る際に用いる内装用隅部材であって、平板状であり上下方向に延在し壁面に対して平行に配される隅部材基部と、平板状であり上下方向に延在し前記隅部材基部の幅方向の中心部から前記隅部材基部と垂直な方向に突出した隅部材突出部とから成り、前記隅部材基部の前記壁面側の面と反対側の面の幅方向端部及び前記隅部材突出部の相対する二面の突出方向端部には間仕切る空間の下地材を取り付ける係止部が上下方向に延在して設けられていることを特徴とする。
【００１７】
空間を間仕切るには、隅部材と間仕切のフレーム構造が必要である。壁と壁の取り合い部、即ちコンクリート壁側に設置するボードと室内空間を間仕切るボードとの取り合い部には隅部材が配され、隅部材と隅部材との間にはランナーが配される。
【００１８】
本願発明の隅部材は隅部材基部と隅部材突出部とからなる。隅部材基部は壁と平行に配される平板状のものであり上下方向に延在する。隅部材突出部は前記隅部材基部の幅方向の中心部から垂直に突出するように設けられ、上下方向に延在する。従って、当該隅部材の断面形状は略Ｔ字型となっている。
【００１９】
前記隅部材基部の幅方向の両端部には、壁面側の面と反対側の面に壁下地材を取り付けて固定するための係止部が上下方向に延在して設けられている。同様に、隅部材突出部の相対する二面の突出方向端部にも壁下地材を取り付けて固定するための係止部が上下方向に延在して設けられている。係止部は、例えば、壁下地材の厚さと同じ寸法の段差を形成することにより構成することができる。
【００２０】
内装用隅部材は、木レンガを介して壁に取り付けられる。従って、壁と壁下地材との隙間は、木レンガの厚さ+隅部材基部の厚さ-前記係止部段差-発泡ウレタンの厚さとなる。なお、木レンガと内装用隅部材との間に緩衝材を挟んで内装用隅部材を取り付ける場合もあり、その場合はその緩衝材の厚さ分だけ上記隙間が広がる。木レンガの厚さや隅部材基部の厚さは用いる壁下地材等を考慮して適宜決定することができる。ここで、壁下地材はＧＬボード、プラスターボード等を指し、壁下地材を内装用隅部材に固定するにはビス等を使用することができる。
【００２１】
前記隅部材突出部の端部にも前述と同様な係止部が設けられている。この係止部も壁下地材の厚さと同じ寸法の段差を形成することで構成することができる。従って、隅部材突出部の突出部端部の段差を除いた厚さは、２枚の壁下地材の隙間となる。隅部材突出部の厚さは用いる壁下地材等を考慮して適宜決定することができる。なお、前記隅部材基部と前記隅部材突出部とは別々に製作して組み立てても良いが、望ましくは一体で製作したものである。
【００２２】
従って、本願発明の内装用隅部材によれば、壁と壁の取り合い部で壁下地材を乾式で施工することが可能であり、以下の効果を発揮する。
（ａ）隅部に本願内装用隅部材を使用することで施工技術の差が補える。これにより職人不足を緩和することが可能である。
（ｂ）ＧＬボードと隅部の取り合いは、ビス止めによる乾式施工が可能である。これにより、施工効率が向上し、工期の短縮が図れる。
（ｃ）隅部が乾式工法で行えることから、クロス貼り施工時に発生していたクロスの捩れや撓み等の不具合を極力抑えることが可能である。
【００２３】
本願発明の内装用隅部材は、請求項１に記載の内装用隅部材において、前記係止部を前記壁下地材の厚さと同じ寸法の段差により構成したことを特徴とする。従って、内装用隅部材と壁下地材は同一面に存在することになるので、クロスを貼った後の仕上がり面は美しいものとなる。
【００２４】
本願発明の内装用隅部材は、請求項１に記載の内装用隅部材において、前記隅部材基部及び前記隅部材突出部を木材、金属材、樹脂材、石材から選ばれた一種又はそれらの組み合わせで構成することを特徴とする。金属材で構成する場合には、平板を折り曲げて製作することができる。木材又は石材又は樹脂材で構成する場合には、前記隅部材基部及び前記隅部材突出部を一体で構成することが望ましい。係る構成とすることで、強度的に問題の無い低コストな内装用隅部材を提供することができる。また、内装用隅部材を中実構造とすることで、内部の空気の溜まりを無くし、間仕切空間の隅部の環境性を改善することが可能である。
【００２５】
本願発明の内装用隅部材は、請求項１又は請求項３に記載の内装用隅部材において、前記隅部材基部の幅方向端部及び前記隅部材突出部の突出方向端部に割り部が設けられており、当該割り部に挿入される電磁遮蔽材が、前記隅部材基部及び前記隅部材突出部内で相互に電気的に導通されるように構成して成ることを特徴とする。
【００２６】
前記割り部は、前記隅部材基部の幅方向の両端部と、前記隅部材突出部の突出方向端部に設けられている。この割り部に電磁遮蔽材を挿入し、且つ床面と天井面にも電磁遮蔽材を設置すれば、間仕切空間が電磁遮蔽されることとなる。割り部に挿入した電磁遮蔽材は、相互に電気的に接続されるように内部に短絡板等を設置しても良い。或いは、ワイヤ、ケーブル等により相互に接続しても良い。電磁遮蔽材の一部は大地に接地される。係る構成とすることで、間仕切空間を簡単に電磁遮蔽空間とすることが可能である。
【００２７】
本願発明の内装用隅部材は、請求項４に記載の内装用隅部材において、前記電磁遮蔽材は、金網、金属板、金属箔、導電性樹脂、半導体材料の中から選ばれた一種又はそれらの組み合わせで構成することを特徴とする。金網はワイヤメッシュ、フェンスネット、バーメッシュ、パンチングメタルでも構わない。但し、金網の一つの網目の最長対角線の長さは遮蔽する電磁波の二分の一波長以下である金網を使用する。
【００２８】
係る構成とすることで、間仕切りした空間を簡単に然も低コストで電磁遮蔽空間にすること可能となる。電磁遮蔽空間では、電磁波が外部空間に漏れないため、任意の波長の無線ＬＡＮ等を構築することができる。また、外部空間から妨害電波の侵入等もなく、電磁波の漏洩による個人情報や企業秘密等の漏洩の心配がない。
【００２９】
本願発明の内装用隅部材は、請求項５に記載の内装用隅部材において、前記電磁遮蔽材に電圧が印加できるように構成して成ることを特徴とする。電圧を印加する方法は、例えば、間仕切り空間の四隅の相対する二隅に電極を設けて、一方の電極を大地に接地し、他方の電極に電圧を印加しても良い。電圧が印加された電磁遮蔽材は発熱し、この発熱によりコンクリート壁及び壁下地材が暖められることとなる。係る構成をとることで、冬季の室内において室内と外壁（コンクリート）側の壁との温度差を軽減して居住環境を向上することが可能である。
【発明の効果】
【００３０】
本願発明の内装用隅部材によれば、以下に示す効果を発揮する。
（ａ）隅部に本願内装用隅部材を使用することで施工技術の差が補える。これにより職人不足を緩和することが可能である。
（ｂ）ＧＬボードと隅部の取り合いは、ビス止めによる乾式施工が可能である。これにより、施工効率が向上し、工期の短縮が図れる。
（ｃ）隅部が乾式工法で行えることから、クロス貼り施工時に発生していたクロスの捩れや撓み等の不具合を極力抑えることが可能である。
（ｄ）隅部材の空気の溜まりを無くし、間仕切空間隅部の不快感を軽減することが可能である。
（ｅ）割り部に電磁遮蔽材を挿入することで間仕切空間を簡単に電磁遮蔽空間にすることが可能である。
（ｆ）冬季に、電磁遮蔽材に通電すれば壁と室内との温度差を軽減することができ、快適な居住空間を提供することが可能である。
【発明を実施するための最良の形態】
【００３１】
以下、図面を参照しながら、本願発明の内装用隅部材の実施の形態について説明する。
【００３２】
（第一の実施の形態）
第１図は本願発明の内装用隅部材の第一の実施の形態に係り、クロス貼り施工後の隅部の分解斜視図である。本願発明の内装用隅部とランナーとを用いて間仕切のフレーム構造を構築し、当該フレーム構造にＧＬボード、プラスターボードを取り付け、仕上げとしてクロス貼りを施工した後の、当該内装用隅部材の一部分を分解して示したものである。但し、分かり易くするために内装用隅部材１、ＧＬボード３、プラスターボード４の一部分のみ示している。発泡ウレタン６、クロス７も一部分だけ示している。
【００３３】
内装用隅部材１は、隅部材基部１ａと隅部材突出部１ｂとから成る。材質は木材であり、隅部材基部１ａと隅部材突出部１ｂとは一体で製作してある。隅部材基部１ａは平板状で上下方向に延在しており、その幅方向の中心部から隅部材突出部１ｂが隅部材基部１ａと垂直な方向に突出するように設けられている。隅部材突出部１ｂも上下方向に延在している。
【００３４】
隅部材基部１ａの幅方向の両端部には、ＧＬボード３を係止する係止部１ｃが設けられている。係止部１ｃは、ＧＬボード３の厚さと同じ寸法の段差により形成され、隅部材基部１ａの上下方向に延在して設けられている。ＧＬボード３とコンクリート壁面１２との隙間は、木レンガ２の厚さに隅部材基部１ａの厚さを足し、これから係止部１ｃにおける段差及び発泡ウレタン６の厚さを引いた数値に略等しい。なお、内装用隅部材１と木レンガ２との間に緩衝材を挟んで内装用隅部材１を取り付ける場合があり、この場合はその緩衝材の厚さ分だけ上記隙間が広がる。
【００３５】
隅部材突出部１ｂの突出方向端部には、プラスターボード４を係止する係止部１ｃが隅部材突出部１ｂの厚さ方向に相対して二カ所に設けられている。係止部１ｃは、プラスターボード４の厚さと同じ寸法の段差により形成され、隅部材突出部１ｂの上下方向に延材して設けられている。ここで、隅部材突出部１ｂの厚さから係止部１ｃにおける段差（二カ所）を引いた数値は、２枚のプラスターボード４の隙間に略等しい。
【００３６】
隅部材基部１ａ、隅部材突出部１ｂの寸法は、使用するＧＬボード３、プラスターボード４、間仕切空間の広さ等を考慮して適宜決定することができる。
【００３７】
コンクリートで囲まれた空間の間仕切りの施工手順は、前述した従来の方法と同じであるが、異なる部分もあるので以下に再掲する。
（１）コンクリートの壁面、床面及び天井面に墨出しを行う。
壁面１２、床面１３及び天井面１４に内装用隅部材１及びランナー８の中心位置、下地壁（壁下地材、ボード）厚を書き出す作業である。この墨出し線１１により、内装用隅部材１、ランナー８を配置する位置が明確に定まる。ランナー８とは間仕切材の一種であり、前述の通りである。
（２）コンクリート壁面に木レンガを取り付ける。
木レンガ２は、壁側に設置するボードと室内空間を間仕切るボードとの取り合い部、即ち壁下地の取り合い部であり、内装用隅部材１を取り付ける箇所に適宜複数枚設置する。上記木レンガ２は、コンクリート壁面１２に接着剤を用いて固定されている。
（３）発泡ウレタンを吹き付ける。
コンクリート壁面１２、床面１３及び天井面１４に発泡ウレタン６を吹き付ける。発泡ウレタン６は断熱材であって、木レンガ２の表面には吹き付けないようにする。もし、木レンガ２の表面に発泡ウレタン６が付着したら完全に取り除いておく。
（４）内装用隅部材を木レンガに取り付ける。
内装用隅部材１をビス等により木レンガ２に固定する。
（５）壁下地を施工する。
壁下地（間仕切下地）は間仕切フレームであって、上下ランナー及びスタッドを意味しており、墨出し線１１に従って上下ランナーを床面１３、天井面１４に配置し、上下ランナーの凸部に柱材であるスタッドを建て込んで行く。スタッドは前記凸部に嵌合する中空の金属パイプで構成されている。
（６）天井下地を施工する。
間仕切下地の内法で、天井下地を施工する。
【００３８】
天井下地まで施工が終われば、後は壁下地材であるボードを取り付け、仕上げのクロスを貼れば内装まで完了となる。
【００３９】
前述の図１は、上述の壁下地及び天井下地を施工した後、プラスターボード４を内装用隅部材１と間仕切フレーム（図示していない）にビス５を用いて取り付け、その後にＧＬボード３をビス５により内装用隅部材１に取り付け、クロス２０により内装を終えた後の、分解斜視図である。ＧＬボード３及びプラスターボード４はビス５により取り付けられるので乾式の施工方法である。
【００４０】
従って、本願発明の内装用隅部材の第一の実施の形態によれば、以下のような優れた効果を発揮する。
（ａ）隅部に本願内装用隅部材を使用することで施工技術の差が補える。これにより職人不足を緩和することが可能である。
（ｂ）ＧＬボードと隅部の取り合いは、ビス止めによる乾式施工が可能である。これにより、施工効率が向上し、工期の短縮が図れる。
（ｃ）隅部が乾式工法で行えることから、クロス貼り施工時に発生していたクロスの捩れや撓み等の不具合を極力抑えることが可能である。
（ｄ）隅部材の空気の溜まりを無くし、間仕切空間隅部の不快感を軽減することが可能である。
【００４１】
（第二の実施の形態）
図２は本願発明の内装用隅部材の第二の実施の形態に係り、クロス貼り施工後の隅部の分解斜視図である。図３は、図２の内装用隅部材の断面説明図である。図３では、ＧＬボード３、プラスターボード４、金網１０は片一方側を省略して示している。第一の実施の形態と異なる点は、隅部材基部１ａ及び隅部材突出部１ｂに割り部１ｄを入れ、この割り部１ｄに金網１０を挿入したこと、及び挿入した金網１０が相互に電気的に接続されるように隅部材基部１ａ及び隅部材突出部１ｂ内に短絡板１ｅを配した点にある。以下、第一の実施の形態と異なる部分のみを説明する
【００４２】
割り部１ｄは、隅部材基部１ａの幅方向の両端部に、且つ隅部材基部１ａの上下方向に延在して設けられている。また、隅部材突出部１ｂの突出方向の端部にも、隅部材突出部１ｂの上下方向に延在して設けられている。
【００４３】
金網１０を割り部１ｄに挿入するのは、間仕切った空間を電磁遮蔽するためである。金網１０の材質は金属であればその種類は問わない。但し、金網１０の全ての網目は同じ形状を有しているものとし、一つの網目の最長対角線の長さは電磁遮蔽する電磁波の二分の一波長以下となっている。
【００４４】
割り部１ｄの幅と深さは、挿入する電磁遮蔽材である金網１０の厚さに依存するが、金網１０が割り部１ｄに挿入され確実に固定できるような幅と深さを有していれば良く、その寸法は任意である。電磁遮蔽空間を構築する上で大切な点は、挿入した金網１０が相互に電気的に導通していることである。従って、割り部１ｄの底部には短絡板１ｅを設け、金網１０はこの短絡板１ｅと当接するまで挿入することとした。それ故、内装用隅部材１の割り部１ｄに挿入される金網１０は全て電気的に導通した（接続された）状態にあり、間仕切空間を電磁遮蔽することができることとなる。
【００４５】
金網１０はＧＬボード３及びプラスターボード４を内装用隅部材１に取り付ける前に設置する。天井面及び床面にも同様に、電磁遮蔽材である金網１０を設置すれば、間仕切空間は金網１０で完全に囲まれた空間となり、電磁遮蔽空間を構築することができる。遮蔽出来る電磁波は、金網の一つの網目の最長対角線の長さを二分の一波長とする電磁波より長波長の電磁波である。なお、より確実な電磁遮蔽効果を得るために金網１０又は短絡板１ｅの何れかの一カ所は大地に接地されている。
【００４６】
電磁遮蔽空間内では、遮断するように設計した波長をλとすると、λより長波長の電磁波は当該空間には入り込めない。また、当該空間内で波長λより長波長の電磁波を使用していたとすると、使用している電磁波は当該空間の外へは漏洩しない。従って、その性質を利用して当該電磁遮蔽空間内への妨害電波の侵入を防ぐこと、当該遮蔽空間内で使用している無線機器から重要データの窃盗や会話の盗聴といった不正行為を防止することが可能である。
【００４７】
また、本願発明の内装用隅部材１においては、前記電磁遮蔽材である金網１０に通電することが可能である。金網１０は内装用隅部材１内の短絡板１ｅを介して電気的に接続されているから、全ての金網１０は電気的に導通している。その一部が大地へ接地されている。従って、大地に接地した部分をＥとし、Ｅから離れた部分Ｐに電圧を印加すると、ＥとＰとの間で決まるインピーダンスに応じて金網１０に電流が流れ、電磁遮蔽材である金網１０が発熱する。金網１０が発熱すればコンクリート壁面１２やＧＬボード３、プラスターボード４が輻射熱により暖められ、冬季にコンクリート壁面と室内との温度差が軽減され、快適な居住空間が実現できる。なお、電磁遮蔽材である金網１０の発熱量については、印加する電圧と金網１０のインピーダンスから最適な値となるように適宜決定することが可能である。
【００４８】
通電は、例えば、大地に接地した部分Ｅと電圧を印加する部分Ｐに電極を設けておき、両電極の間に家庭用の交流電圧を印加することで、特殊な装置等を必要とせずに安価に実現できる。更に、可変電圧源を備え、適宜電流値を変えながら発熱量を調整することも可能である。
【００４９】
金網の替わりに回路基板を内装用隅部材１の割り部１ｄに挿入して、室内のイルミネーションを行うことも可能である。回路基板に発光ダイオードを装着し、一方の短絡板１ｅに接する部分にプラスの電極を、他方の短絡板１ｅに接する部分にマイナスの電極を備え、プラスの電極とマイナスの電極とに電圧が印加されるようにすればよい。この場合、ＧＬボード或いはプラスターボードの替わりに透明板を取り付ける。
【００５０】
従って、本願発明の内装用隅部材の第二の実施の形態によれば、第一の実施の形態で述べた効果に加えて、以下のような優れた効果を発揮する。
（ｅ）割り部に電磁遮蔽材を挿入することで間仕切空間を簡単に電磁遮蔽空間にすることが可能である。
（ｆ）冬季に、電磁遮蔽材に通電すれば壁と室内との温度差を軽減することができ、快適な居住空間を提供することが可能である。
【産業上の利用可能性】
【００５１】
本願発明は、コンクリート等で囲まれた空間を間仕切る際に使用し、コンクリート壁側に設置するボードと室内空間を間仕切るボードとの取り合い部で、クロス貼り施工後の捩れや撓み等の不具合が発生することのない内装用隅部材に関するものである。然も、間仕切空間を簡単に電磁遮蔽空間とすることが可能なフレーム構造を有するものである。従って、マンション等の間仕切を始め、電磁遮蔽空間を必要とする空間の間仕切に適用可能である。
【図面の簡単な説明】
【００５２】
【図１】本願発明の内装用隅部材の第一の実施の形態に係り、クロス貼り施工後の隅部の分解斜視図である。
【図２】本願発明の内装用隅部材の第二の実施の形態に係り、クロス貼り施工後の隅部の分解斜視図である。
【図３】図２の内装用隅部材の断面説明図である。
【図４】従来の隅部材に係り、墨出し線に沿って壁面に配した様子を示す間仕切空間の斜視図である。
【図５】従来の隅部材に係り、クロス貼り施工後の隅部の分解斜視図である。
【図６】上下ランナーの説明図であって、（ａ）は斜視図、（ｂ）は平面図、（ｃ）は側面図、（ｄ）は窓と墨出し線との関係図である。
【符号の説明】
【００５３】
１  内装用隅部材
１ａ  隅部材基部
１ｂ  隅部材突出部
１ｃ  係止部
１ｄ  割り部
１ｅ  短絡板
２  木レンガ
３  ＧＬボード
４  プラスターボード
５  ビス
６  発泡ウレタン
７  クロス
８  下（上）ランナー
８ａ  基部
８ｂ  凸部
８ｃ  窓
８ｄ  スポット溶接
８ｅ  端部
８ｆ  角部
９  スタッド
１０  金網
１１  墨出し線
１２  コンクリート壁面
１３  コンクリート床面
１４  コンクリート天井面
１５  隅部材
１５ａ  スペーサ
１６  接着剤
【図１】
2006090009.tif 000003
【図２】
2006090009.tif 000004
【図３】
2006090009.tif 000005
【図４】
2006090009.tif 000006
【図５】
2006090009.tif 000007
【図６】
2006090009.tif 000008